(57)【要約】【課題】電磁弁１を動作させる保持電流を制限して消費電力を少なくした省エネルギータイプの電磁弁駆動回路において、周囲温度の上昇や電磁コイルの発熱あるいは流体からの伝導熱等による影響を低減し、電磁弁を安定して動作させる。【解決手段】直流電源１０にスイッチＳＷを接続する。電源端子１１ａ，１１ｂの間に、電磁弁１の電磁コイル１ａと定電流ダイオードＤ１とを直接に接続する。定電流ダイオードＤ１にトランジスタＴｒを並列に接続する。電源端子１１ａ，１１ｂの間にタイマー用の抵抗Ｒｔ、タイマー用のコンデンサＣｔ、抵抗Ｒｂを直列に接続する。スイッチＳＷのオンによりトランジスタＴｒをオンとし、定電流ダイオードＤ１を短絡する。電磁コイル１ａに大きな駆動電流をながす。一定時間が経過してコンデンサＣｔの充電が完了するとトランジスタＴｒがオフとなり、定電流ダイオードＤ１を介して保持電流を電磁コイル１ａに流す。【選択図】図１
0003145617.tif 000002
【実用新案登録請求の範囲】
【請求項１】
スイッチを有する直流電源の電源端子間に電磁弁と電流制限素子とを直列に接続するとともに、該電流制限素子と並列に駆動用半導体素子を接続し、前記スイッチのオンにより該駆動用半導体素子をオンにして前記電磁弁に駆動電流を流して該電磁弁を駆動し、前記スイッチのオンから一定の遅延時間をおいて前記駆動用半導体素子をオフにすることにより、前記電流制限素子により前記電磁弁に流す電流を制限するようにした電磁弁駆動回路において、
前記電流制限素子を定電流ダイオードにより構成し、前記電磁弁に対して該定電流ダイオードを介して保持電流を供給するようにしたことを特徴とする電磁弁駆動回路。
【考案の詳細な説明】
【技術分野】
【０００１】
本考案は、空調機、冷房システム、冷凍システム等に用いる電磁弁を駆動するための電磁弁駆動回路に関する。
【背景技術】
【０００２】
従来、電磁弁駆動回路として例えば図２に示すものがある。この回路は、スイッチＳＷを投入すると、それと同時にトランジスタＴｒがオンとなり、電流制限素子である分圧抵抗Ｒ１が短絡されて直流電源１０の電圧が電磁弁の電磁コイル２０に直接印加される。これにより、電磁コイルに大きな駆動電流が流れ、電磁コイルは吸引作用をする。
【０００３】
抵抗ＲｔとコンデンサＣｔはタイマーを構成しており、スイッチＳＷのオンから予め設定された時間が経過すると、トランジスタＴｒはオフとなり、電磁コイル２０には分圧抵抗Ｒ１により分圧された電圧が印加される。これにより、電磁コイル２０には駆動電流よりも小さな保持電流が流れるようになり、電流を制限して消費電力が少なくなる。なお、分圧抵抗Ｒは、電磁コイル２０の吸引状態を保持するのに必要な保持電流となるように、電源電圧の変動、環境温度に対する電磁コイル２０の直流抵抗分の変動を考慮して、最も電流の流れにくい条件で抵抗値及び電力値が選定されている。そのため、電流の流れやすい条件では必要以上の保持電流が流れてしまい、省エネ効果が低くなってしまうという問題がある。
【０００４】
このように、電流制限素子を用いた電磁弁駆動回路は、電磁弁を動作させる保持電流を制限して消費電力を少なくした省エネルギータイプのものである。なお、この種の電磁弁駆動回路として例えば特開平９−２１７８５５号公報（特許文献１）に開示されたものがあるが、この特許文献１の回路も電流制限素子として抵抗器を用い、これにより電磁弁への供給電流を制限するようにしている。
【特許文献１】特開平９−２１７８５５号公報
【考案の開示】
【考案が解決しようとする課題】
【０００５】
前記従来の電磁弁駆動回路では、周囲温度が高くなったり、作動直後のようにコイル自身の発熱、あるいは、電磁弁に流体（冷媒）が流れることによるこの流体からの伝導熱、輻射熱等によって、電磁コイルの抵抗値が高くなることがある。この電磁コイルの抵抗値が高くなると、設定した保持電流が得られなくなり、電流制限素子である分圧抵抗に設定した抵抗が機能を果たさなくなる。したがって、結果的に電磁コイルの保持力が低下して電磁弁が離脱し易くなるという問題がある。
【０００６】
そこで、本考案は、電磁弁を動作させる保持電流を制限して消費電力を少なくした省エネルギータイプの電磁弁駆動回路において、周囲温度の上昇や電磁コイルの発熱あるいは流体からの伝導熱等による影響を低減し、電磁弁を安定して動作させるようにすることを課題とする。
【課題を解決するための手段】
【０００７】
請求項１の電磁弁駆動回路は、スイッチが接続されたる直流電源の電源端子間に電磁弁と電流制限素子とを直列に接続するとともに、該電流制限素子と並列に駆動用半導体素子を接続し、前記スイッチのオンにより該駆動用半導体素子をオンにして前記電磁弁に駆動電流を流して該電磁弁を駆動し、前記スイッチのオンから一定の遅延時間をおいて前記駆動用半導体素子をオフにすることにより、前記電流制限素子により前記電磁弁に流す電流を制限するようにした電磁弁駆動回路において、前記電流制限素子を定電流ダイオードにより構成し、前記電磁弁に対して該定電流ダイオードを介して保持電流を供給するようにしたことを特徴とする。
【考案の効果】
【０００８】
請求項１の電磁弁駆動回路によれば、電磁弁を駆動した後、一定の遅延時間後に定電流ダイオードを介して保持電流が供給されるが、この定電流ダイオードは電流を制限するとともに、常に一定の電流を流すので、電磁弁の電磁コイルの抵抗値が変化しても、アンペアターン（コイル電流と巻き数の積）で規定される保持力が一定となり、高温使用時の信頼性が向上する。
【考案を実施するための最良の形態】
【０００９】
次に、本考案の電磁弁駆動回路の実施の形態を図面を参照して説明する。図１は実施形態の電磁弁駆動回路の回路図である。直流電源１０の一端にスイッチＳＷが接続され、このスイッチＳＷを有する電源端子１１ａ，１１ｂの間に、電磁弁１の電磁コイル１ａと、電流制限素子としての定電流ダイオードＤ１とが直接に接続されている。電磁コイル１ａにはフライホイールダイオード１ｂが並列に接続されている。電磁コイル１ａ、定電流ダイオードＤ１及びフライホイールダイオード１ｂの接続点は、駆動用半導体素子としてのトランジスタＴｒのコレクタに接続され、定電流ダイオードＤ１の他端はトランジスタＴｒのエミッタｅに接続されている。すなわち、定電流ダイオードＤ１にはトランジスタＴｒが並列に接続されている。
【００１０】
また、電源端子１１ａ，１１ｂの間には、タイマー用の抵抗Ｒｔ、タイマー用のコンデンサＣｔ及び抵抗Ｒｂが直列に接続され、このタイマー用コンデンサＣｔと抵抗Ｒｂの接続点は、トランジスタＴｒのベースｂに接続されている。
【００１１】
以上の構成により、スイッチＳＷがオンされると、コンデンサＣｔの充電が開始されてトランジスタＴｒにベース電流が流れる。したがってトランジスタＴｒがオンとなり、コレクタｃ及びエミッタｅを介して定電流ダイオードＤ１が短絡される。これにより、電磁コイル１ａには電源端子１１ａ，１１ｂを介して大きな駆動電流が流れ、電磁コイル１ａが吸引作用をする。例えば、弁が駆動される。
【００１２】
また、上記スイッチＳＷのオンから一定時間（遅延時間）が経過して、コンデンサＣｔの充電が完了すると、トランジスタＴｒのベース電流が遮断され、トランジスタＴｒがオフとなる。これにより、定電流ダイオードＤ１が電磁コイル１ａに直列に接続されて、この定電流ダイオードＤ１を介して電磁コイル１ａに電流が流れる。この定電流ダイオードＤ１を介して流される電流は保持電流である。
【００１３】
ここで、例えば周囲温度の上昇などにより電磁コイル１ａの抵抗値が高くなっても、定電流ダイオードＤ１が一定の電流を流すように作用するため、この電磁コイル１ａに流れる保持電流は一定に保たれる。したがって、電磁コイル１ａに対する電流を制限して電磁弁１における消費電力を小さくできるとともに、この電磁コイルにおける保持力も一定に保たれる。
【図面の簡単な説明】
【００１４】
【図１】本考案の実施形態の電動弁駆動回路の回路図である。
【図２】従来の電磁弁駆動回路の一例を示す回路図である。
【符号の説明】
【００１５】
１      電磁弁
１ａ    電磁コイル
１０    直流電源
Ｄ１    定電流ダイオード（電流制限素子）
Ｔｒ    トランジスタ（駆動用半導体素子）
【図１】
0003145617.tif 000003
【図２】
0003145617.tif 000004